(57)【要約】【課題】開閉動作がきわめて容易に行え、不測に破損するおそれもないような蓋体ロック構造の提供。【解決手段】本体部１４に枢着された蓋体１２を閉方向に回転した時に、係止部材３１が付勢力に抗して反蓋体側に変位し、蓋体１２が閉状態に保持される蓋体ロック構造であって、上記係止部材３１に沿って摺動する摺動ロック部材４１が設けられ、該摺動ロック部材４１には、係止部材３１の外側に位置する操作部４２が形成されるとともに、係止部材の被押圧部を押圧する押圧部４４と、係止部材３１の係止爪３２が反蓋体側へ回転するのを阻止する回転規制部４５とが形成され、上記係止部材３１またはその近傍に、上記回転規制部４５が係止部材３１の上記回転を阻止する位置にある場合であって蓋体１２が閉方向に回転して係止部材３１と干渉した時に、係止爪３２を反蓋体側に回転および／または変形させる係止許容構造が形成された蓋体ロック構造２１。【選択図】図８
2007161288.tif 000002
【特許請求の範囲】
【請求項１】
本体部の上に枢着された蓋体を閉方向に回転した時に、本体部に付勢状態で枢着された係止部材が付勢力に抗して反蓋体側に変位し、蓋体が閉位置に位置した時に係止部材の係止爪が上記付勢力によって蓋体に係止して蓋体が閉状態に保持される蓋体ロック構造であって、
上記係止部材に沿って摺動する摺動ロック部材が設けられ、
該摺動ロック部材には、係止部材の外側に位置する操作部が形成されるとともに、
該操作部の内側面には、係止部材の被押圧部を押圧する押圧部と、操作部を押圧した時に本体部の一部に当接して係止部材の係止爪が蓋体から外れる反蓋体側へ回転するのを阻止する回転規制部とが形成され、
上記係止部材またはその近傍に、上記回転規制部が係止部材の上記回転を阻止する位置にある場合であって蓋体が閉方向に回転して係止部材と干渉した時に、係止部材の少なくとも係止爪を、蓋体との係止が解除される反蓋体側に回転および／または変形させる係止許容構造が形成された
蓋体ロック構造。
【請求項２】
前記係止許容構造が、前記被押圧部と本体部との間に形成された空間部で構成された
請求項１に記載の蓋体ロック構造。
【請求項３】
前記係止許容構造が、係止部材に形成されて係止爪が反蓋体側に回転するのを許容するヒンジ部で構成された
請求項１または請求項２に記載の蓋体ロック構造。
【請求項４】
前記係止部材の回転を阻止する位置にある時の回転規制部と本体部との間に、摺動ロック部材が押圧されても係止爪が蓋体との係止を解除するまでには係止部材を回転させない距離の隙間が形成された
請求項１から請求項３のうちのいずれか一項に記載の蓋体ロック構造。
【発明の詳細な説明】
【技術分野】
【０００１】
この発明は、蓋体の開閉操作が簡単で、蓋体が不測に開いてしまうことを防止できるような蓋体ロック構造に関し、より詳しくは、各種容器、特に携帯魔法瓶などのような飲料容器に備えるのに好適な、蓋体ロック構造に関する。
【背景技術】
【０００２】
蓋体が偶発的に開くのを阻止するロック装置としては、下記特許文献１に開示されているものがある。
【０００３】
このロック装置は、止め要素と、これとは別の蓋体とに対して、別方向に作用する力が加えられた時にロックが解除されるというものであって、止め要素を押圧すると同時に、これと係合している蓋体を、止め要素の押圧方向とは異なる方向に移動させるとロックが解除され、蓋体が開くように構成されている。
【０００４】
ロック解除のための動作を具体的に示せば、止め要素と蓋体との間に指先を入れるとともに、その指先で蓋体を押せばよいというもので、その動作は簡単である。
【０００５】
しかし、このような構成では、何らかの突起物が止め要素と蓋体との間に入り、その突起物に対して蓋体をこじるような力が作用すればロックが解除されてしまう。
【０００６】
このため、例えばバッグやリュックの内部など、他の物品と接触する機会があるものに対して、上記構成が採用された場合には、蓋体が不測に開いてしまうことがある。
【０００７】
一方、バッグやリュック等に入れて持ち運ばれることの多い飲料容器であって、内部の飲料を飲むのに口を直接付けて飲む飲み口を有した飲料容器においては、偶発的に蓋体が開くのを防止するため、下記特許文献２に開示されているようなロック構造が提案されている。
【０００８】
すなわち、特許文献２の飲料用容器の栓体におけるロック構造は、蓋部材の回動端に設けられた係合片に係脱可能な係合部を上部に有するとともに、係合部を係止片との係合方向に付勢する付勢手段を有したロックボタンと、該ロックボタンの下部と口栓部材の外周壁との間に挿入されたときにロックボタンのロック解除方向への動きを規制する一方、下方へスライドされ非挿入位置に位置したときにロックボタンのロック解除方向への動きを許容するスライド式ストッパを有するものである。換言すれば、スライド式ストッパがロックボタンの内側に位置するときにはロックが行え、スライド式ストッパがロックボタンの内側から外れた時にロックが解除されるという構造である。
【０００９】
このような構成によれば、スライド式ストッパを指先で押し下げてからその指若しくは他の指でロックボタンの下部を押した時に蓋部材を開くことができる。
【００１０】
しかし、上記のようにスライド式ストッパを上下動させる操作と、ロックボタンを押圧する操作を、一連の動作として行うことができない。つまり、蓋部材を開く時には２つの全く異なる動作をしなければならず、操作の容易性に欠ける。このため、片手でさっと開くことは困難である。
【００１１】
また、特許文献２の構成では、スライド式ストッパが挿入位置においてロックボタンの動きを阻止する構成であるので、当然のことながらスライド式ストッパが挿入位置にあるとロックボタンは動かない。このため、蓋部材を開けた状態で、まちがってスライド式ストッパを挿入位置に上げてしまい蓋体を閉めようとした場合には、ロックボタンとこれを回転可能に枢支している軸部分に過大な負荷がかかってしまい破損するおそれがある。
【００１２】
さらに、特許文献２の構成では、スライド式ストッパを下げたときにロックボタンとスライド式ストッパとの間に隙間ができる。このため、飲料を一旦飲んだのちスライド式ストッパを上げずに地面上などに放置した場合に異物が入ってしまうことがあり、それを知らずにスライド式ストッパを操作すれば、動作に支障をきたすことになる。
【００１３】
【特許文献１】特開平６−１９３３３２号公報
【特許文献２】特開２００５−１９３９４４号公報
【発明の開示】
【発明が解決しようとする課題】
【００１４】
そこで、この発明は、他の物品と接触しても不測に開いてしまうことがなく、しかも、開閉動作がきわめて容易に行え、不測に破損するおそれもないような蓋体ロック構造の提供を主たる課題とする。
【課題を解決するための手段】
【００１５】
そのための手段は、本体部の上に枢着された蓋体を閉方向に回転した時に、本体部に付勢状態で枢着された係止部材が付勢力に抗して反蓋体側に変位し、蓋体が閉位置に位置した時に係止部材の係止爪が上記付勢力によって蓋体に係止して蓋体が閉状態に保持される蓋体ロック構造であって、上記係止部材に沿って摺動する摺動ロック部材が設けられ、該摺動ロック部材には、係止部材の外側に位置する操作部が形成されるとともに、該操作部の内側面には、係止部材の被押圧部を押圧する押圧部と、操作部を押圧した時に本体部の一部に当接して係止部材の係止爪が蓋体から外れる反蓋体側へ回転するのを阻止する回転規制部とが形成され、上記係止部材またはその近傍に、上記回転規制部が係止部材の上記回転を阻止する位置にある場合であって蓋体が閉方向に回転して係止部材と干渉した時に、係止部材の少なくとも係止爪を、蓋体との係止が解除される反蓋体側に回転および／または変形させる係止許容構造が形成された蓋体ロック構造である。
【００１６】
上記構成において、蓋体を開ける場合には、摺動ロック部材の操作部を指先にかけて係止部材の長さ方向の一方側に摺動して摺動ロック部材の回転規制部を本体部の一部に当接し得る位置から離す。そしてそのままの状態で摺動ロック部材を本体部側へ押し込むと、押圧部が係止部材の被押圧部を押圧して係止爪が蓋体から外れる反蓋体側へ回転する。この回転によって、係止が解除され蓋体は解放されるので、蓋体を開くことができる。
【００１７】
一方、蓋体が不測に開かないようにロックするには、蓋体を閉じた状態で摺動ロック部材を他方側に摺動し、または付勢力によって自動的に摺動させればよい。摺動ロック部材の回転規制部が本体部の一部に当接し得る位置に位置して、摺動ロック部材を押圧しても係止部材が回転しない状態になる。
【００１８】
また、蓋体を閉じる時には、蓋体を閉方向に回転させればよい。蓋体が係止部材の係止爪を押し退けて回転し、このときに係止部材が付勢力に抗して反蓋体側に変位して、蓋体が閉位置に位置した時に係止部材の係止爪が付勢力によって蓋体に係止して、蓋体が閉位置に保持される。
【００１９】
このような蓋体を閉じる動作を行う場合に、摺動ロック部材が他方側に摺動されてロック位置に位置しており、係止爪の係止を解除するほどに係止部材が回転しない時でも、係止許容構造が、係止部材の全部または一部を回転させ、または変形させ、若しくは回転させ且つ変形させて、蓋体の係止を許容する。
【００２０】
ここで、上記各構成要素については、たとえば次のような態様に構成することができる。
【００２１】
その態様の一つは、上記係止許容構造が、上記被押圧部と本体部との間に形成された空間部で構成されたものである。  
すなわち、被押圧部と本体部との間には空間部が形成されているので、被押圧部は摺動ロック部材とは関係なく、押圧部と反対側の本体部側に移動可能にすることができる。被押圧部が本体側に移動可能であれば、蓋体を閉方向に回転させた時に、その動作によって係止部材の係止爪が反蓋体側に回転するように構成でき、摺動ロック部材の位置に関係なく、各部材に過負荷をかけずに蓋体を閉じられる。
【００２２】
態様の他の一つは、上記係止許容構造が、係止部材に形成されて係止爪が反蓋体側に回転するのを許容するヒンジ部で構成されたものである。ヒンジ部は、付勢手段が付設された枢着構造、薄肉構造等で形成される。  
すなわち、蓋体が閉方向に回転させられた時に、係止部材のヒンジ部から係止爪側の部分が、蓋体によって反蓋体側に回転させられる。そして、蓋体を受け入れ、蓋体が閉位置に位置した時に元の位置に戻って蓋体に係止する。
【００２３】
態様の他の一つは、上記係止部材の回転を阻止する位置にある時の回転規制部と本体部との間に、摺動ロック部材が押圧されても係止爪が蓋体との係止を解除するまでには係止部材を回転させない距離の隙間が形成されたものである。  
すなわち、摺動ロック部材が係止部材の回転を阻止する位置にある時であっても、隙間の範囲内では摺動ロック部材を本体側に押圧しても係止部材の係止爪は蓋体から外れることはなく、蓋体のロック状態を保持可能のである。このため、上記係止許容構造に必要な回転および／または変形の量を少なくすることができる。
【００２４】
また、摺動ロック部材が係止部材の回転を阻止する位置にある時に摺動ロック部材が不測に押圧されても係止部材が移動可能であるので、その押圧力を吸収する余裕がある。このため、受けた押圧力がすぐに摺動ロック部材を一方側に摺動する力に変換されることはない。このため、蓋体が不測に開いてしまうことを阻止できる。
【発明の効果】
【００２５】
以上のように、この発明によれば、摺動ロック部材を摺動させて押圧するという、片手で行える一連の動作で蓋体を開くことができる。このため、ワンタッチできわめて簡単に蓋体を開くことが可能である。
【００２６】
しかも、その一連の動作は、方向を異にするので、ロック状態において摺動ロック部材が他の物品と接触してもその影響を受けても蓋体が不測に開いてしまうことはなく、ロック構造としての所期の目的を確実に達成できる。
【００２７】
また、蓋体を閉じる時には、摺動ロック部材がいずれの位置にあっても、係止解除許容機構の存在のため、各部材に過負荷をかけずに蓋体を閉じることができ。この結果、ロック構造が不測に破損してしまうことを回避できる。
【発明を実施するための最良の形態】
【００２８】
この発明を実施するための一形態を、以下図面を用いて説明する。  
図１は、飲料容器１１の上部の縦断面図（図２のＡ−Ａ線矢視断面図）であり、この図に示したように飲料容器１１は、上端の蓋体１２がワンタッチで開くように構成されている。
【００２９】
すなわち、飲料容器１１入れるための容器本体１３と、この容器本体１３の上部に着脱可能に取付けられる口金部材１４と、この口金部材１４上に枢着された上記蓋体１２とを有する。上記口金部材１４には、内部の飲料を、直接口を付けて飲むための飲み口１５が設けられ、上記ワンタッチで開蓋することの利便性を享受できるように構成されている。
【００３０】
上記蓋体１２は、上記飲み口１５を隠蔽する大きさの略逆椀形状で、内部の天井面における飲み口１５対応部には、飲み口１５の上端開口部をシールするシール材１６が取付けられている。そして、この蓋体１２は、図３にも示したように、上記口金部材１４の後側の枢着部１７に筒状をなす軸部材１８とねじりコイルばね１９を介して枢着される。つまり、蓋体１２は、上記ねじりコイルばね１９により開方向に常時付勢されている。
【００３１】
上記ねじりコイルばね１９は、口金部材１４の枢着部１７の側面に形成されたばね収容空間２０に収容されて、外部から見えないように取付けられている。ばね収容空間２０は、蓋体１２側に設けられるもよい。
【００３２】
ねじりコイルばね１９の付勢力に抗して蓋体１２を閉じた状態を保持するのが蓋体ロック機構２１であって、口金部材１４と蓋体１２とにまたがるように、上記枢着部１７の反対側面に形成されている。
【００３３】
この蓋体ロック機構２１は、口金部材１４に枢着された合成樹脂からなる係止部材３１の上端の係止爪３２を、蓋体１２に形成された被係止部１２ａに対して係止することで、蓋体１２の閉状態を保持するというもので、偶発的な係止部材３１の回転動作を阻止するとともに、簡単な開操作を可能とするために、この係止部材３１の回転動作を規制する合成樹脂製の摺動ロック部材４１が備えられている。これら係止部材３１と摺動ロック部材４１は、ともに僅かながら可撓性を有し、口金部材１５に形成された凹所５１に収められる。凹所５１は、正面視略縦なが長方形状で、周囲に堤状に盛り上げられた外壁部５２が形成されている。
【００３４】
係止部材３１は、凹所５１内に回転可能に取付けられるもので、凹所の幅寸法に対応する幅の板状をなす外面部３３と、この外面部３３の内側面における下部から段違いに延設され、外面部３３よりも幅狭の板状に形成された被押圧部３４とを有する。上記取付けのための枢着片３５，３５は、外面部３３の長さ方向中間部における内側面に形成されるとともに、上記係止爪３２は、外面部３３の上端に形成されている。係止爪３２の上側の傾斜面は、蓋体１２を閉じる時に係止部材３１を回転させるための従動面３２ａである。
【００３５】
また、被押圧部３４の内側面には、摺動ロック部材４１および係止部材３１を外側に向けて付勢するための付勢手段としてスプリング６１の一端部を保持する位置決め突部３６が形成されている。
【００３６】
一方、凹所５１内における上記位置決め突部３６に対向する部位には、上記スプリング６１の他端部を保持する位置決め突部５３が形成されている。
【００３７】
上記摺動ロック部材４１は、係止部材３１に沿ってその長さ方向に摺動するもので、凹所５１の幅寸法に対応する幅に形成され、下端部に位置する操作部４２と、該操作部４２の左右両側から上方に延設された２本の摺動片部４３，４３とを有する。これら２本の摺動片部４３は、図４、図５に示したように、上記２枚の枢着片３５，３５を挟むようにその外側に位置するものである。
【００３８】
上記操作部４２は、上記係止部材３１における被押圧部３４の外側面と左右両側を覆うように位置するもので、門形に形成されている。そして、その左右方向の中間部における内側面が、上記被押圧部３４の外側面上を摺動し、押圧する押圧面４４である。操作部４２を門形に形成した結果、操作部４２の下に位置する上記係止部材３１の被押圧部３４の内側には、上記スプリング６１を収容可能とするとともに、被押圧部３４を内側に移動可能とする空間部５４が形成される。この空間部５４を有するため、摺動ロック部材４１がロック位置にあるとロック解除位置にあるとに関わらず、被押圧部３４は内側に移動可能である。
【００３９】
また、操作部４２の左右方向の両端部における内側面には、摺動ロック部材４１の回転を阻止する回転規制部としての回転規制突起４５が形成されている。この回転規制突起４５は、摺動ロック部材４１を上に向けて摺動してロック位置に位置させた時に、摺動ロック部材４１の回転を阻止するものである。これに対応して、上記凹所５１の内側面には、摺動ロック部材４１を上に向けて摺動させた時にその回転規制突起４５の先端面が近接するロック用突起５５が形成されている。
【００４０】
回転規制突起４５の先端面がロック用突起５５に当接するように形成するもよいが、両者の間に、摺動ロック部材４１が押圧されても係止爪３２が蓋体１２との係止を解除するまでには係止部材３１を回転させない距離の隙間５６を有する近接状態であるのが好ましい。
【００４１】
上記摺動片部４３の係止部材３１に対向する外側の面は、係止部材３１の内側面上を摺動する摺動面４６である。そして、各摺動片部４３の上端部は内外方向に大きく形成され、摺動および回転可能に取付けるための取付け部４７が設けられている。この取付け部４７には、上記係止部材３１を枢着しているピン部材６２を挿通する上下方向に長い長孔４８が形成され、凹所５１に対しては係止部材３１と一体的に結合されて取付けられるようにしている。
【００４２】
上記長孔４８には、ピン部材６２の位置がその両端部に位置したときに節度を持たせるための構造が設けられる。節度を持たせると、操作時にクリック感が得られ、操作した時の感触がよく、また摺動ロック部材を、その上動位置（ロック位置）と下動位置（ロック解除位置）に保持できる。その構成は、図６（ａ）に示したように、長孔４８の両端部４８ａの径を中間部４８ｂの径よりも大きく設定すれば得られる。また、図６（ｂ）に示したように、長孔４８の両端部４８ａの径を中間部４８ｂの径よりも小さく設定しても得られる。このほか、図６（ｃ）に示したように、両端部４８ａにピン部材６２が収まった状態を保持する突部４８ｃを形成しても得られる。節度を得る構造は、上記のほか、係止部材３１と摺動ロック部材４１との相対向する適宜部位に、様々な形態で形成できる。節度を設けるほかに、接触抵抗で止まるように形成することもできる。
【００４３】
なお、上記被押圧面４４および摺動面４６は、摺動ロック部材４１の操作部４２を内側に向けて押圧して回転させた時に係止部材３１をその係止爪３２の係止が外れる方向（反蓋体側）に回転させる回転力伝達部である。
【００４４】
また、上記蓋体ロック機構２１を有する蓋体１２では、その枢着部１７側の上面に、図７に示したように開蓋時に口金部材１４を保持する手との衝突を回避するためのぬすみ凹所１２ｂが形成されている。このぬすみ凹所１２ｂは、蓋体１２の角部をえぐるように円弧を描いて形成される。  
さらに、図中１２ｃは、外観を美麗にするための化粧部材である。
【００４５】
以上のような構成の蓋体ロック機構２１を備えた飲料容器１１では、次のようにして蓋体１２の開操作を行う。
【００４６】
すなわち、図１に実線で示したようなロック状態から、仮想線で示したように摺動ロック部材４１の操作部４２を下へ摺動すると、摺動ロック部材４１が最も下に下がったロック解除位置で止まる。この状態で摺動ロック部材４１を内側に向けて押圧すると、摺動ロック部材４１の押圧面４４がスプリング６１の付勢力に抗して係止部材３１の被押圧部３４を押圧して係止部材３１を回転させる。そして、係止部材３１の係止爪３２を蓋体１２の被係止部１２ａから外す。すると、ねじりコイルばね１９で付勢された蓋体１２は、その付勢力によって図７に示したようにさっと開き、飲み口１５の上端部は開放され、すぐに飲料を飲める状態となる。蓋体１２を開く時、図７に仮想線で示したような位置に手７１が位置するが、蓋体１２にはぬすみ凹所１２ｂが形成されているので、蓋体１２が手７１に当たってしまうようなことはなく、安心して蓋体１２を開くことができる。
【００４７】
蓋体１２を閉じるには、ねじりコイルばね１９の付勢力に抗して蓋体１２を回転して押し下げれば、係止爪３２の上面に形成された従動面３２ａの存在により、係止部材３１は回転させられ、自動的に係止が行われる。
【００４８】
蓋体１２を閉じた後は、摺動ロック部材４１を上にあげてロック位置に位置させると、摺動ロック部材４１の回転規制突起４５が、凹所５１内に形成されたロック用突起５５に近接または当接して、摺動ロック部材４１および係止部材３１の回転を阻止する。このため、蓋体１２が不測に開いてしまうことを防止できる。
【００４９】
万が一、摺動ロック部材４１が上に摺動されてロック位置に位置している時に蓋体が閉じられても、係止部材３１の被押圧部３４が摺動ロック部材４１よりも内側に位置していて、しかもその内側には空間部５４が形成されているとともに、上記隙間５６が形成され、係止部材３１が可撓性を有する合成樹脂製であるので、蓋体１２が閉じられようとすれば、係止部材３１はその係止爪３２の係止を外す方向に受動的に回転して、蓋体１２を受け入れる。このため、不測に破損したりするような不都合が起こらない。
【００５０】
具体的には、図８に示したように、蓋体１２の被係止部１２ａの外側面が係止部材３１における係止爪３２の従動面３２ａに当たって干渉すると、係止部材３１は、摺動ロック部材４１とともに反蓋体側に回転する。この回転は、摺動ロック部材４１の回転規制突起４５を凹所５１内のロック用突起５５に当接するまで行われる。すなわち、回転規制突起４５およびロック用突起５５間の隙間５６と、係止部材３１や摺動ロック部材４１などの各部材間のクリアランスが許す限りにおいて回転する。このときに、係止部材３１の係止爪３２が蓋体１２の被係止部１２ａから外れない状態であるのが好ましい。この状態の係止部材３１に対して蓋体１２がさらに回転して従動面３２ａを押圧することによって、係止部材３１は、その材料弾性で図８に仮想線で示したように若干、反蓋体側に変形し、蓋体１２が閉位置に位置することを許容する。蓋体１２が閉位置に位置すると、係止部材３１が即座に弾性復帰するとともに、スプリング６１の付勢力によって、上記ロック状態に戻る。
【００５１】
このように、空間５４と、隙間５６と、各部材のクリアランスと、係止部材３１自体の可撓性で係止許容構造が構成されている。
【００５２】
なお、上記空間部５４に代えて、図９に示したように係止部材３１の枢着片３５と係止爪３２との間の位置に形成されたヒンジ部３７によっても、上記作用が得られる。ヒンジ部３７は、図９（ａ）に示したように薄肉部で構成するも、（ｂ）に示したようにバネ３７ａを内蔵した枢着部で構成するもよい。このように構成すると、上記空間部５４や隙間５６がなくとも係止の許容が行える。
【００５３】
また、上記のように回転規制突起４５およびロック用突起５５間に隙間５６があるので、ロック状態において、摺動ロック部材４１が押圧力を受けた時、摺動ロック部材４１はその隙間５６の分だけ回転する。この回転の余裕があるので、受けた押圧力が摺動ロック部材４１を押し下げる力に容易に変換されることはなく、偶発的な蓋体１２の開放を阻止できる。
【００５４】
以上のように、摺動ロック部材４１を摺動させば、回転規制突起４５とロック用突起５５の近接または当接状態が解除されるので、この動作に続いて、摺動ロック部材４１を内側に向けて押圧すれば、摺動ロック部材４１とともに係止部材３１が回転し、蓋体１２は付勢力によって瞬時に開く。
【００５５】
つまり、摺動ロック部材４１を下に押し下げる操作と内側に押す操作は、一連のものとして片手で容易に行える。このため、開操作はきわめて簡単であり、飲みたい時にすぐ飲める飲料容器１１となる。
【００５６】
しかも、その一連の動作は方向を異にするので、ロック状態において摺動ロック部材４１が他の物品と接触してもその影響を受けて蓋体１２が不測に開いてしまうことはなく、ロックを確実なものとすることができる。このため、たとえばバッグやリュック等に飲料容器１１を入れて持ち歩いたりした場合に、摺動ロック部材４１が何らかの物品と接触しても、蓋体１２が不測に開いてしまうことのない状態が得られる。
【００５７】
そのうえ、上下方向に摺動する摺動ロック部材４１は、常に係止部材３１の内側に存在し、係止部材３１との間に隙間ができることはない。このため、不測に異物が入って、操作に支障をきたしたり、破損したりするような不都合を未然に防止できる。
【００５８】
また、係止部材３１と摺動ロック部材４１は同一のピン部材６２で取付けたので、部品点数を低減できるとともに、組立作業も容易に行える。
【００５９】
さらに、回転規制突起４５およびロック用突起５５と、付勢手段としてのスプリング６１とを、凹部５１の幅方向に並べて配設したので、ロック機構２１はコンパクトに形成できる。
【００６０】
さらにまた、回転規制突起４５とロック用突起５５で回転規制をするので、スプリング６１の収納や空間部５４の形成などがまとまりよく行え、構造を簡素にできる。
【００６１】
この発明の構成と上記一形態の構成との対応において、  
この発明の本体部は、上記構成の口金部材１４に対応し、  
以下同様に、  
押圧部は、押圧面４４に対応し、  
回転規制部は、回転規制突起４５に対応し、  
回転規制部と対向する本体部の一部は、ロック用突起５５に対応し、  
本体部の一部は、ロック用突起５５に対応するも、  
この発明は、上記一形態の構成のみに限定されるものではなく、その他の様々な形態を採用することができる。
【００６２】
たとえば、摺動ロック部材４１が上に摺動した時にロック解除位置、下に摺動した時にロック位置となるように構成されるもよい。ロックを解除しての開蓋操作は、摺動ロック部材４１を上にあげながら内側へ押圧するという、一連の動作として行える操作であるため、簡単である。
【００６３】
また、ねじりコイルばね１９に代えて、シール材やその他の適宜の付勢手段によって蓋体１２が開方向に付勢されるように構成するもよく、また、付勢手段を省略することもできる。
【００６４】
さらに、蓋体ロック機構２１は、飲料容器１１のほか、各種の道具や医薬品などを収納する容器をはじめとした、必要とされる様々な物品に適用できる。
【００６５】
また、摺動ロック部材４１は係止部材３１に対してロック方向に付勢された状態で結合されるもよい。
【図面の簡単な説明】
【００６６】
【図１】飲料容器の上部の縦断面図。
【図２】飲料容器の上部の正面図。
【図３】飲料容器の平面図。
【図４】ロック機構の正面図。
【図５】ロック機構を示す断面図。
【図６】摺動ロック部材の長孔を示す拡大図。
【図７】作用状態の断面図。
【図８】作用状態の断面図。
【図９】他の例に係る係止部材の側面図。
【符号の説明】
【００６７】
１２…蓋体
１４…口金部材
２１…蓋体ロック機構
３１…係止部材
３２…係止爪
３４…被押圧部
３７…ヒンジ部
４１…摺動ロック部材
４２…操作部
４４…押圧面
４５…回転規制突起
５４…空間部
５５…ロック用突起
５６…隙間
【図１】
2007161288.tif 000003
【図２】
2007161288.tif 000004
【図３】
2007161288.tif 000005
【図４】
2007161288.tif 000006
【図５】
2007161288.tif 000007
【図６】
2007161288.tif 000008
【図７】
2007161288.tif 000009
【図８】
2007161288.tif 000010
【図９】
2007161288.tif 000011